【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
撮像を行う撮像手段と、
撮像を行う他の撮像機器と通信する通信手段と、
前記通信手段を介して、前記他の撮像機器に撮影依頼を行うとともに、少なくとも前記撮影依頼により撮影した画像を保存する保存部作成依頼を行う依頼手段と、
前記保存部作成依頼に関連して、前記撮像手段が撮像した画像を保存する保存部を作成する作成手段と、
前記通信手段を介して、前記他の撮像装置が前記保存部作成依頼により作成した保存部に保存されている画像を取得する取得手段と、を備えたことを特徴とする電子機器。
【請求項２】
請求項１に記載の電子機器において、
前記他の撮像機器との接触状態を検出する接触センサと、
前記接触センサの出力に基づいて、前記他の撮像機器とのペアリングを設定する設定手段と、を備え、
前記依頼手段は、前記通信手段として無線通信を用いることを特徴とする電子機器。
【請求項３】
請求項１または２に記載の電子機器において、
前記取得手段は、前記取得した画像を前記作成手段が作成した保存部に保存することを特徴とする電子機器。
【請求項４】
請求項１から３のいずれか一項に記載の電子機器において、
前記取得手段は、前記画像を取得するときに、当該画像が撮影された時間情報を取得することを特徴とする電子機器。
【請求項５】
請求項４に記載の電子機器において、
前記画像を表示する表示部と、
前記保存部に保存された画像を当該画像が撮像された時系列順に前記表示部に表示させる制御部とを備えたことを特徴とする電子機器。
【請求項６】
請求項１から４のいずれか一項に記載の電子機器において、
前記画像を表示する表示部と、
前記保存部に保存された画像を前記撮像手段により撮像された画像と、前記他の撮像機器により撮像された画像とに分別して前記表示部に表示させる制御部とを備えたことを特徴とする電子機器。
【請求項７】
請求項１から４のいずれか一項に記載の電子機器において、
前記画像を表示する表示部と、
前記保存部に保存された画像が人物画像かどうかを判定する判定手段と、
前記判定手段の判定結果に応じて、前記表示部に前記画像を表示させる制御部とを備えたことを特徴とする電子機器。
【請求項８】
請求項１から４のいずれか一項に記載の電子機器において、
前記画像を表示する表示部と、
前記保存部に保存された画像が風景画像かどうかを判定する判定手段と、
前記判定手段の判定結果に応じて、前記表示部に前記画像を表示させる制御部とを備えたことを特徴とする電子機器。
【請求項９】
請求項１から８のいずれか一項に記載の電子機器において、
前記撮像手段と前記他の撮像機器とがほぼ同時刻に撮影した画像が前記保存部に保存されているときに、いずれか一方の画像を選択して前記表示部に表示させる選択手段とを備えたことを特徴とする電子機器。
【請求項１０】
請求項９に記載の電子機器において、
前記ほぼ同時刻に撮影された画像を解析して輪郭抽出を行う輪郭抽出手段とを備え、
前記選択手段は、前記ほぼ同時刻に撮影された画像のうち、前記輪郭抽出手段により輪郭抽出量が多い画像を選択することを特徴とする電子機器。
【請求項１１】
請求項９に記載の電子機器において、
ほぼ同時刻に撮影された画像を解析して笑顔度合いを検出する笑顔検出手段とを備え、
前記選択手段は、前記ほぼ同時刻に撮影された画像のうち、前記笑顔検出手段により笑顔度合いが多い画像を選択することを特徴とする電子機器。
【請求項１２】
複数の撮像装置により撮影され、画像ごとに撮影相手に関する情報と撮影時刻情報とが記録された複数の画像を再生する画像再生方法であって、
前記撮影相手に関する情報および前記撮影時刻情報に基づいて、前記複数の撮像装置により撮影された複数の画像を画像グループとして集約する集約処理と、
前記撮影時刻情報にしたがって前記画像グループに含まれる複数の画像を撮影時刻の順に再生する再生処理とを実行することを特徴とする画像再生方法。
【請求項１３】
請求項１２に記載の画像再生方法において、
前記再生処理は、前記画像グループに含まれる複数の画像の内、第１の前記撮像装置により撮像された画像を撮影時刻の順に再生した後、第２の前記撮像装置により撮像された画像を撮影時刻の順に再生することを特徴とする画像再生方法。
【請求項１４】
請求項１２に記載の画像再生方法において、
前記画像グループに含まれる複数の画像が人物を対象として撮影された画像か否かを判定する判定処理を含み、
前記再生処理は、前記判定処理において人物を対象として撮影された画像であると判定された場合は、前記画像グループに含まれる複数の画像の内、第１の前記撮像装置により撮像された画像を撮影時刻の順に再生した後、第２の前記撮像装置により撮像された画像を撮影時刻の順に再生し、前記判定処理において人物を対象として撮影された画像でないと判定された場合には、前記画像グループに含まれるすべての画像を撮影時刻の順に再生することを特徴とする画像再生方法。
【請求項１５】
請求項１１から１４のいずれか一項に記載の画像再生方法において、
前記画像グループに含まれる複数の画像の中に略同時刻に撮影された画像が複数ある場合に、それらの内のいずれかを再生画像として選択する選択処理を含み、
前記再生処理は、前記選択処理により選択された画像を再生することを特徴とする画像再生方法。
【請求項１６】
請求項１５に記載の画像再生方法において、
前記画像グループに含まれる複数の画像の内の略同時刻に撮影された複数の画像を解析して輪郭抽出を行う輪郭抽出処理を含み、
前記選択処理は、前記略同時刻に撮影された複数の画像の内の前記輪郭抽出処理により輪郭抽出量が最多であるとされた画像を再生画像として選択することを特徴とする画像再生方法。
【請求項１７】
請求項１５に記載の画像再生方法において、
前記画像グループに含まれる複数の画像の内の略同時刻に撮影された複数の画像を解析して笑顔度合いを検出する笑顔検出処理を含み、
前記選択処理は、前記略同時刻に撮影された複数の画像の内の前記笑顔検出処理により笑顔度合いが最高であるとされた画像を再生画像として選択することを特徴とする画像再生方法。
【請求項１８】
複数の撮像装置により撮影され、画像ごとに撮影相手に関する情報と撮影時刻情報とが記録された複数の画像を再生する処理をコンピューターに実行させる画像再生プログラムであって、
前記撮影相手に関する情報および前記撮影時刻情報に基づいて、前記複数の撮像装置により撮影された複数の画像を画像グループとして集約する集約手順と、
前記撮影時刻情報にしたがって前記画像グループに含まれる複数の画像を撮影時刻の順に再生する再生手順とを含む画像再生プログラム。
【請求項１９】
複数の撮像装置により撮影され、画像ごとに撮影相手に関する情報と撮影時刻情報とが記録された複数の画像を再生する処理をコンピューターに実行させるための画像再生プログラムを記録したコンピューター読み取り可能な記録媒体であって、
前記撮影相手に関する情報および前記撮影時刻情報に基づいて、前記複数の撮像装置により撮影された複数の画像を画像グループとして集約する集約手順と、
前記撮影時刻情報にしたがって前記画像グループに含まれる複数の画像を撮影時刻の順に再生する再生手順とを含む画像再生プログラムを記録した記録媒体。
【請求項２０】
請求項１８に記載の画像再生プログラムを記録する記録媒体と、
前記画像再生プログラムを実行するマイクロコンピューターとを備えることを特徴とする画像再生装置。
【手続補正２】
【補正対象書類名】明細書
【補正対象項目名】発明の名称
【補正方法】変更
【補正の内容】
【発明の名称】電子機器、画像再生方法、画像再生プログラム、画像再生プログラムを記録した記録媒体および画像再生装置
【手続補正３】
【補正対象書類名】明細書
【補正対象項目名】０００１
【補正方法】変更
【補正の内容】
【０００１】
本発明は、電子機器、画像再生方法、画像再生プログラム、画像再生プログラムを記録した記録媒体および画像再生装置に関する。
【手続補正４】
【補正対象書類名】明細書
【補正対象項目名】０００５
【補正方法】変更
【補正の内容】
【０００５】
請求項１の発明による電子機器は、撮像を行う撮像手段と、撮像を行う他の撮像機器と通信する通信手段と、前記通信手段を介して、前記他の撮像機器に撮影依頼を行うとともに、少なくとも前記撮影依頼により撮影した画像を保存する保存部作成依頼を行う依頼手段と、前記保存部作成依頼に関連して、前記撮像手段が撮像した画像を保存する保存部を作成する作成手段と、前記通信手段を介して、前記他の撮像装置が前記保存部作成依頼により作成した保存部に保存されている画像を取得する取得手段とを備えたことを特徴とする。
請求項１２の発明は、複数の撮像装置により撮影され、画像ごとに撮影相手に関する情報と撮影時刻情報とが記録された複数の画像を再生する画像再生方法であって、前記撮影相手に関する情報および前記撮影時刻情報に基づいて、前記複数の撮像装置により撮影された複数の画像を画像グループとして集約する集約処理と、前記撮影時刻情報にしたがって前記画像グループに含まれる複数の画像を撮影時刻の順に再生する再生処理とを実行することを特徴とする。
請求項１８の発明は、複数の撮像装置により撮影され、画像ごとに撮影相手に関する情報と撮影時刻情報とが記録された複数の画像を再生する処理をコンピューターに実行させる画像再生プログラムであって、前記撮影相手に関する情報および前記撮影時刻情報に基づいて、前記複数の撮像装置により撮影された複数の画像を画像グループとして集約する集約手順と、前記撮影時刻情報にしたがって前記画像グループに含まれる複数の画像を撮影時刻の順に再生する再生手順とを含む。
請求項１９の発明は、複数の撮像装置により撮影され、画像ごとに撮影相手に関する情報と撮影時刻情報とが記録された複数の画像を再生する処理をコンピューターに実行させるための画像再生プログラムを記録したコンピューター読み取り可能な記録媒体であって、前記撮影相手に関する情報および前記撮影時刻情報に基づいて、前記複数の撮像装置により撮影された複数の画像を画像グループとして集約する集約手順と、前記撮影時刻情報にしたがって前記画像グループに含まれる複数の画像を撮影時刻の順に再生する再生手順とを含む画像再生プログラムを記録した記録媒体である。